(57)【要約】【課題】ドライブ装置のハード的な変更を行うことなく、容易にディスク判別を行うことができるディスクケースを提供すること【解決手段】本発明のディスクケースは、内部にディスクを保持するケース本体１０と、ディスクの一部を露出させる開口部１１と、開口部１１を開閉するシャッタ１２と、ディスクの外周であって開口部１１に位置するブリッジ部１４とを備え、ブリッジ部１４のピックアップ移動経路となる位置に、ブリッジ部１４の内周径よりも大きな径となる窪み１４ｂを形成したことを特徴とする。【選択図】        図１
2010009677.tif 000002
【特許請求の範囲】
【請求項１】
内部にディスクを保持するケース本体と、前記ディスクの一部を露出させる開口部と、前記開口部を開閉するシャッタと、前記ディスクの外周であって前記開口部に位置するブリッジ部とを備えたディスクケースであって、
前記ブリッジ部のピックアップ移動経路となる位置に、前記ブリッジ部の内周径よりも大きな径となる窪みを形成したことを特徴とするディスクケース。
【請求項２】
前記窪みに対応する前記ブリッジ部の外周部に突出部を形成したことを特徴とする請求項１に記載のディスクケース。
【請求項３】
内部にディスクを保持するケース本体と、前記ディスクの一部を露出させる開口部と、前記開口部を開閉するシャッタと、前記ディスクの外周であって前記開口部に位置するブリッジ部とを備えたディスクケースのディスク判別方法であって、
前記ブリッジ部のピックアップ移動経路となる位置の前記ブリッジ部の内周径を異ならせることで、内部に保持する前記ディスクの種別や書き込み可能か不可かを判別することを特徴とするディスクケースのディスク判別方法。
【発明の詳細な説明】
【技術分野】
【０００１】
本発明は、ディスクを内部に保持するディスクケース及びその判別方法に関する。
【背景技術】
【０００２】
従来のディスクケースについて図４を用いて説明する。図４は、従来のディスクケースの斜視図である。
内部にディスク（図示せず）を保持するケース本体１０は、ディスクの一部を露出させるための開口部１１を形成し、この開口部１１を開閉するシャッタ１２を備えている。
この種のディスクケースでは、記録再生方式の異なるディスクを収納して利用するために、内部に保持するディスクの種別や書き込み可能か不可かを判別するための孔１３をケース本体１０に設けている。
なお、この種のディスクケースについては特許文献１にも開示されている。
【特許文献１】特開２００３−４５１４１号公報（特に図３）
【発明の開示】
【発明が解決しようとする課題】
【０００３】
しかし、このようにディスクの種別などの判別をケース本体１０に形成する孔１３で行う場合には、この孔１３を検出するための機能をドライブに設ける必要がある。
すなわち、ケース本体１０の孔１３変更だけで対応できずに、ドライブ装置に検出スイッチを設けるなどのハード的な機能変更を行わなければならないという問題を有している。
【０００４】
そこで本発明は、ドライブ装置のハード的な変更を行うことなく、容易にディスク判別を行うことができるディスクケースを提供することを目的としている。
【課題を解決するための手段】
【０００５】
請求項１記載の本発明のディスクケースは、内部にディスクを保持するケース本体と、前記ディスクの一部を露出させる開口部と、前記開口部を開閉するシャッタと、前記ディスクの外周であって前記開口部に位置するブリッジ部とを備えたディスクケースであって、前記ブリッジ部のピックアップ移動経路となる位置に、前記ブリッジ部の内周径よりも大きな径となる窪みを形成したことを特徴とする。
請求項２記載の本発明は、請求項１に記載のディスクケース前記窪みに対応する前記ブリッジ部の外周部に突出部を形成したことを特徴とする。
請求項３記載の本発明のディスクケースのディスク判別方法は、内部にディスクを保持するケース本体と、前記ディスクの一部を露出させる開口部と、前記開口部を開閉するシャッタと、前記ディスクの外周であって前記開口部に位置するブリッジ部とを備えたディスクケースのディスク判別方法であって、前記ブリッジ部のピックアップ移動経路となる位置の前記ブリッジ部の内周径を異ならせることで、内部に保持する前記ディスクの種別や書き込み可能か不可かを判別することを特徴とする。
【発明の効果】
【０００６】
本発明のディスクケースによれば、ブリッジ部に窪みを設けることでピックアップでのディスク判別が可能となる。
【発明を実施するための最良の形態】
【０００７】
本発明の第１の実施の形態によるディスクケースは、ブリッジ部のピックアップ移動経路となる位置に、ブリッジ部の内周径よりも大きな径となる窪みを形成したものである。本実施の形態によれば、ブリッジ部に窪みを設けることでピックアップでのディスク判別が可能となるため、ドライブ装置のソフトウェア変更のみでディスク判別を行うことができる。
本発明の第２の実施の形態は、第１の実施の形態によるディスクケースであって、窪みに対応するブリッジ部の外周部に突出部を形成したものである。本実施の形態によれば、窪みによる強度的な問題を解消することができる。
本発明の第３の実施の形態によるディスクケースは、ブリッジ部のピックアップ移動経路となる位置のブリッジ部の内周径を異ならせることで、内部に保持するディスクの種別や書き込み可能か不可かを判別するものである。本実施の形態によれば、ドライブ装置のソフトウェア変更のみでディスク判別を行うことができる。
【実施例】
【０００８】
以下、本発明の実施例について図面を参照しながら説明する。図１は本発明の一実施例によるディスクケースの斜視図、図２は同ディスクケースの平面図である。
内部にディスク（図示せず）を保持するケース本体１０は、ディスクの一部を露出させるための開口部１１を形成し、この開口部１１を開閉するシャッタ１２と、ディスクの外周であって開口部１１に位置するブリッジ部１４とを備えている。ブリッジ部１４は、内周面１４ａを円弧状に形成している。
図２に示すように、ケース本体１０は、ドライブ装置に装着された状態では、開口部１１にピックアップ２０が位置する。ピックアップ移動経路は破線Ｘ上となる。
ブリッジ部１４には、ピックアップ移動経路となる位置に、ブリッジ部１４の内周面１４ａによる内周径よりも大きな径となる窪み１４ｂを形成している。
本実施例によれば、ブリッジ部１４に窪み１４ｂを設けることでピックアップ２０でのディスク判別が可能となるため、ドライブ装置のソフトウェア変更のみでディスク判別を行うことができる。
従って、窪み１４ｂを形成していないディスクケースと、窪み１４ｂを形成しているディスクケースとで、内部に保持するディスクの種類を異ならせ、又は窪み１４ｂの窪みの深さを変更したディスクケースによって内部に保持するディスクの種類を異ならせることでディスクの種別や書き込み可能か不可かなどを判別することができる。
【０００９】
図３は本発明の他の実施例によるディスクケースの要部拡大平面図である。図示しない他の構成は上記実施例と同一構成である。
本実施例では、ブリッジ部１４には、窪み１４ｂに対応するブリッジ部１４の外周部に突出部１４ｃを形成することで、窪み１４ｂによる強度的な問題を解消することができる。本実施例では、ブリッジ部１４に溝１６を設けることで外方に連結部１５を形成している。溝１６はシャッタ１２のスライド用爪（図示せず）の規制溝として機能する。
本実施例によれば、ブリッジ部１４に窪み１４ｂを設けることでピックアップ２０でのディスク判別が可能となるため、ドライブ装置のソフトウェア変更のみでディスク判別を行うことができる。
また本実施例によれば、窪み１４ｂに対応するブリッジ部１４の外周部に突出部１４ｃを形成することで、窪み１４ｂによる強度的な問題を解消することができる。
また本実施例によれば、ドライブ装置のソフトウェア変更のみでディスク判別を行うことができる。
【産業上の利用可能性】
【００１０】
以上のように、本発明のディスクケースによれば、異なる種類のディスク収納を可能とすることで、記録再生方式だけでなく、ファイル形式などの異なるディスクを収納するケースとして利用することができる。
【図面の簡単な説明】
【００１１】
【図１】本発明の一実施例によるディスクケースの斜視図
【図２】同ディスクケースの平面図
【図３】本発明の他の実施例によるディスクケースの要部拡大平面図
【図４】従来のディスクケースの斜視図
【符号の説明】
【００１２】
１０    ケース本体
１１    開口部
１２    シャッタ
１４    ブリッジ部
１４ａ  内周面
１４ｂ  窪み
１４ｃ  突出部
【図１】
2010009677.tif 000003
【図２】
2010009677.tif 000004
【図３】
2010009677.tif 000005
【図４】
2010009677.tif 000006